(57)【要約】【課題】ＬＥＤの個数に関係なく適切な制御電源を確保することである。【解決手段】交流定電流電源１２から供給される所定の光度比率に従った出力電流を絶縁カレントトランス１６ａを介して入力し整流回路１７ａで整流する。負荷調整回路２０は整流回路１７ａで整流された電圧をＬＥＤ２１に印加し、ＬＥＤ２１の電圧が所定値以上となるとスイッチ素子Ｑ１をパルス幅制御してＬＥＤ２１をバイパスする回路に流れる電流を調整する。制御電源回路１８は、交流定電流電源１２から供給される電流を絶縁カレントトランス１６ｂを介して入力し整流回路１７ｂで整流し、整流回路１７ｂで整流して得られた電流を電圧調整回路２４で調整して出力電圧が一定となるように調整し、電圧調整回路２４の出力電圧を制御電源の電圧として出力する。これにより、ＬＥＤ２１の個数に関係なく適切な制御電源を確保する。【選択図】  図１
2010257718.tif 000002
【特許請求の範囲】
【請求項１】
交流定電流電源から出力される電流を絶縁カレントトランスを介して入力し整流する整流回路と；
前記整流回路で整流された電流を平滑する平滑素子と；
前記平滑素子で平滑された電流をＬＥＤに印加し、ＬＥＤに印加する電流または電圧が所定値以上になると回路の入力電流をバイパスするバイパス回路を有し、このバイパス回路に流れる電流を調整してＬＥＤに印加される電流または電圧が一定となるように調整する負荷調整回路と；
前記交流定電流電源から供給される電流を絶縁カレントトランスを介して入力し、入力された電流を検出する入力電流検出回路と；
前記交流定電流電源から供給される所定の電流に対し、所定の明るさになるようにＬＥＤの電流をデューティ制御するデューティ制御回路と；
前記交流定電流電源から供給される電流を絶縁カレントトランスを介して入力し整流する整流回路と、整流回路で整流して得られた電流を調整して出力電圧が一定となるように調整する電圧調整回路とを有し、前記電圧調整回路の出力電圧を制御電源の電圧として出力する制御電源回路と；
を備えたことを特徴とするＬＥＤ点灯装置。
【請求項２】
前記ＬＥＤに印加する電流または電圧が所定値以上になったとき前記負荷調整回路の前記バイパス回路に流す電流を前記制御電源回路に供給する電流供給ラインを設けたことを特徴とする請求項１記載のＬＥＤ点灯装置。
【請求項３】
前記入力電流検出回路で検出された入力電流を基に、電球の光度比−相対電流値特性にＬＥＤの光度比−相対電流値特性を変換する特性変換回路を有し、前記デューティ制御回路は、前記ＬＥＤに流れる電流が前記特性変換回路で変換された電流になるようにデューティ制御することを特徴とする請求項１または２記載のＬＥＤ点灯装置。
【請求項４】
請求項３記載のＬＥＤ点灯装置に接続され光源がＬＥＤであるＬＥＤ式標識灯と；
光源が電球である電球式標識灯と；
ＬＥＤ式標識灯と電球式標識灯とを混在して直列接続する直列接続幹線ケーブルと；
切換タップを切り換えて複数の光度比率に対応した出力電流を前記直列接続幹線ケーブルに出力する交流定電流電源と；
を備えたことを特徴とする標識灯システム。
【発明の詳細な説明】
【技術分野】
【０００１】
本発明は、例えば、空港などに用いられるＬＥＤ式標識灯を点灯するためのＬＥＤ点灯装置及び標識灯システムに関する。
【背景技術】
【０００２】
空港などに用いられる標識灯は、その複数が交流定電流電源の出力端に直列接続されることにより付勢される。また、標識灯は、周囲の明るさが変化しても標識の見え方を良好に維持するために、周囲の明るさに応じて交流定電流電源の出力電流を切り換えることによって標識灯が所定の光度比率で作動するように制御される。例えば、交流定電流電源に出力電流の切換タップを配設して、光度比率を１００％、２５％、５％、１％および０．２％の５段階の中から所望により選択できるように構成されている。
【０００３】
また、現行の空港などに用いられる標識灯は、光源にハロゲン電球などの白熱電球を用いている。一方、ハロゲン電球などの光源に代えてＬＥＤ（発光ダイオード）を用いることが提案されている（例えば、特許文献１参照）。ハロゲン電球とＬＥＤとでは、同一光度であっても所要の電流が異なるので、ハロゲン電球を単にＬＥＤに置き換えることはできない。
【０００４】
図６は、ハロゲン電球およびＬＥＤの光度比−相対電流値特性を示すグラフである。横軸は相対電流値（％）を、縦軸は光度比（％）を、それぞれ示す。曲線Ａはハロゲン電球の特性曲線、曲線ＢはＬＥＤの特性曲線をそれぞれ示す。図６から分かるように、ハロゲン電球は相対電流値と光度比との関係すなわち光度比−相対電流値特性が指数関数的曲線になる。これに対して、ＬＥＤは光度比−相対電流値特性がほぼ直線すなわち正比例の関係になる。
【０００５】
また、交流定電流電源における切換タップは、その出力電流がハロゲン電球を備えた標識灯を付勢した際に所定の光度が得られるように設定されており、例えば表１の中欄に示すとおりである。これに対して、ＬＥＤの場合には、同一光度を得るために必要な電流は、図６に示す光度比−相対電流値特性から計算すると、表１の右欄に示すとおりである。
【０００６】
［表１］
交流定電流電源      ハロゲン電球（相対電流値（AC））    ＬＥＤ（相対電流値（DC)）
タップ５（光度１００％）   １００．０％（６．６Ａ）    １００％（３５０ｍＡ）
タップ４（光度  ２５％）    ７８．９％                  ２５％
タップ３（光度    ５％）    ６２．１％                  ５％
タップ２（光度    １％）    ５１．５％                  １％
タップ１（光度０．２％）    ４２．４％                  ０．２％
表１に示すように、ハロゲン電球とＬＥＤとでは、同一光度であっても、所要の電流が異なるので、交流定電流電源に対してＬＥＤを光源とする標識灯を接続しても、タップ１〜４の位置では所定の光度比率の標識光が得られないということになる。
【０００７】
そこで、交流定電流電源の出力電流を検出する電流検出手段を配設するとともに、その検出出力に応じてＬＥＤの発光が所定の光度比率になるように標識灯を制御する点灯制御手段を配設した標識灯システムが本出願人により提案されている（例えば、特許文献２参照）。すなわち、特許文献２においては、点灯制御手段を配設していることにより、ＬＥＤの光度比−相対電流値特性と異なる光度比−相対電流値特性に対応した電流切り換えが行われる交流定電流電源であっても、所定の光度比率で標識灯の光度切り換えを行うことができる。
【０００８】
ところで、標識灯を直列点灯する場合、交流定電流電源から延在する高圧幹線線路から標識灯側を通電状態を維持しながら絶縁するために、ゴム被覆絶縁変圧器を介して負荷を接続するように構成されている。そして、絶縁カレントトランスの２次側から交流定電流電源の出力電流を電流検出手段で検出し、電流検出手段の検出出力に応じて点灯制御手段によりＬＥＤの発光が所定の光度比率になるように標識灯を制御するようにしている。この場合、点灯制御手段は、標識灯に供給される入力電流をパルス幅変調して、ＬＥＤの発光が所定の光度比率になるように標識灯を制御する。また、交流定電流電源を使用して標識灯のＬＥＤを点灯させるには、定電流源を定電圧源に変換してＬＥＤに印加するようにしている。
【０００９】
絶縁カレントトランスの１次側が交流定電流電源であり、２次側からＬＥＤに印加する定電圧源を取り出すようにし、標識灯の狭い容積でも実装でき、光源の光出力が所定の光度比率にできるようにしたものが提案されている（例えば、特許文献３参照）。特許文献３のものは、交流定電流電源から供給される所定の光度比率に従った出力電流を絶縁カレントトランスを介して入力し整流回路で整流し、負荷調整回路は整流回路で整流された電圧をＬＥＤに印加し、ＬＥＤの電圧が所定値以上となるとスイッチ素子をパルス幅制御してＬＥＤをバイパスする回路に流れる電流を調整することにより、ＬＥＤに印加される電圧を一定に調整するものである。
【先行技術文献】
【特許文献】
【００１０】
【特許文献１】特表平１１−５１４１３６号公報（特許請求の範囲、Ｆｉｇ．１）
【特許文献２】特開２００２−４９９９２号公報（第５頁、図２）
【特許文献３】特開２００６−１３９７５５号公報（図１、図６）
【発明の概要】
【発明が解決しようとする課題】
【００１１】
特許文献３のものでは、パルス幅制御等を行う制御回路用の電源を主回路の絶縁カレントトランスの二次側巻線から取得しているので、例えば、ＬＥＤの個数が４〜６個である場合には、二次側巻線からの出力電圧が適切な範囲となり問題ないが、ＬＥＤの個数が４個未満の場合には制御電源の電圧が小さすぎ、またＬＥＤの個数が７個以上となると、制御電源の電圧が過大となるため、適切な電圧に調整する必要がある。
【００１２】
本発明の目的は、ＬＥＤへの印加電圧に関係なく適切な制御電源を確保できるＬＥＤ点灯装置及び標識灯システムを提供することである。
【課題を解決するための手段】
【００１３】
請求項１の発明に係わるＬＥＤ点灯装置は、交流定電流電源から出力される電流を絶縁カレントトランスを介して入力し整流する整流回路と；前記整流回路で整流された電流を平滑する平滑素子と；前記平滑素子で平滑された電流をＬＥＤに印加し、ＬＥＤに印加する電流または電圧が所定値以上になると回路の入力電流をバイパスするバイパス回路を有し、このバイパス回路に流れる電流を調整してＬＥＤに印加される電流または電圧が一定となるように調整する負荷調整回路と；前記交流定電流電源から供給される電流を絶縁カレントトランスを介して入力し、入力された電流を検出する入力電流検出回路と；前記交流定電流電源から供給される所定の電流に対し、所定の明るさになるようにＬＥＤの電流をデューティ制御するデューティ制御回路と；前記交流定電流電源から供給される電流を絶縁カレントトランスを介して入力し整流する整流回路と、整流回路で整流して得られた電流を調整して出力電圧が一定となるように調整する電圧調整回路とを有し、前記電圧調整回路の出力電圧を制御電源の電圧として出力する制御電源回路と；を備えたことを特徴とする。
【００１４】
本発明および以下の各発明において、特に指定しない限り用語の定義および技術的意味は次による。
【００１５】
交流定電流電源は、定電流化された出力電流を直列接続された複数の負荷としてのＬＥＤ標識灯に対して出力するものであり、切換タップにより出力電流を切り換えてＬＥＤ標識灯の光度を所定の割合（光度比率）で点灯することができるものである。すなわち、切換タップは例えば複数の段階で切り換えられ、切換タップの段階に応じて出力電流が変わりＬＥＤ標識灯の光度が変化する。所定の光度比率は、標識灯を設置している周囲の明るさが変化しても、標識灯の見え方を常に良好に維持することを目的として、標識灯の光度をそのときの周囲の明るさに応じて制御するために定められる。通常、ＬＥＤの光度比−相対電流値特性とは異なる光度比−相対電流値特性、例えばハロゲン電球等の白熱電球の光度比−相対電流値特性に基づいて定められている。
【００１６】
負荷調整回路は、整流回路で整流された電流を入力し、ＬＥＤに印加される電流または電圧を一定に調整するものであり、ＬＥＤに印加される電流または電圧が所定値以上となると、ＬＥＤをバイパスする回路を形成し、そのバイパス回路に流れる電流を調整して、ＬＥＤに印加される電流または電圧を一定に調整する。この場合の所定値とは、所定の光度比率に基づく出力電流でＬＥＤが点灯しているときのＬＥＤの電圧である。
【００１７】
入力電流検出回路は、電流検出器を介して入力した電流に基づいて交流定電流電源からの出力電流を検出するものである。特性変換回路は、出力電流検出器で検出されたＬＥＤの光度比−相対電流値特性とは異なる光度比−相対電流値特性の交流定電流電源に対して、ＬＥＤの光度比−相対電流値特性をその異なる光度比−相対電流値特性に変換するものである。
【００１８】
例えば、交流定電流電源からの出力電流が電球の光度比−相対電流値特性である場合には、電球の光度比率に基づく出力電流に対して、ＬＥＤの光度が電球の光度と同じになるようにＬＥＤへの出力電流を変換する。つまり、ＬＥＤの光度比−相対電流値特性を電球の光度比−相対電流値特性に変換する。デューティ制御回路は、ＬＥＤを流れる電流を特性変換回路で変換された電流になるようにデューティ制御するものである。
【００１９】
制御電源回路は、交流定電流電源から供給される電流を絶縁カレントトランスを介して入力し、制御電源を生成するものである。整流回路は、絶縁カレントトランスを介して入力した交流定電流電源から供給される電流を整流するものである。電圧調整回路は、例えば、負荷調整回路と同様に、出力電圧が所定値以上となると、出力端をバイパスする回路を形成し、そのバイパス回路に流れる電流を調整して、出力電圧を一定に調整する。この場合の所定値とは制御電源の電圧である。
【００２０】
請求項２の発明に係わるＬＥＤ点灯装置は、請求項１の発明において、前記ＬＥＤに印加する電流または電圧が所定値以上になったとき前記負荷調整回路の前記バイパス回路に流す電流を前記制御電源回路に供給する電流供給ラインを設けたことを特徴とする。
【００２１】
電流供給ラインとは、負荷調整回路がＬＥＤに印加する電流または電圧が所定値以上となったときに、ＬＥＤに印加される電流または電圧を一定に調整するために、負荷調整回路のバイパス回路に流す電流を制御電源回路に供給する接続導線をいう。これにより、負荷調整回路の調整時の余剰電流を制御電源回路に供給できるので、制御電源回路の絶縁カレントトランスの小型化が図れる。
【００２２】
請求項３の発明に係わるＬＥＤ点灯装置は、請求項１または２の発明において、前記入力電流検出回路で検出された入力電流を基に、電球の光度比−相対電流値特性にＬＥＤの光度比−相対電流値特性を変換する特性変換回路を有し、前記デューティ制御回路は、前記ＬＥＤに流れる電流が前記特性変換回路で変換された電流になるようにデューティ制御することを特徴とする。
【００２３】
本発明は、交流定電流電源からの出力電流が電球の光度比−相対電流値特性である場合には、電球の光度比−相対電流値特性にＬＥＤの光度比−相対電流値特性を変換するようにしたものである。
【００２４】
請求項４の発明に係わる標識灯システムは、請求項３記載のＬＥＤ点灯装置に接続され光源がＬＥＤであるＬＥＤ式標識灯と；光源が電球である電球式標識灯と；ＬＥＤ式標識灯と電球式標識灯とを混在して直列接続する直列接続幹線ケーブルと；切換タップを切り換えて複数の光度比率に対応した出力電流を前記直列接続幹線ケーブルに出力する交流定電流電源と；を備えたことを特徴とする。
【００２５】
本発明は、光源がＬＥＤであるＬＥＤ式標識灯と、光源が電球である電球式標識灯とが混在する場合に、ＬＥＤ式標識灯に対しては電球の光度比−相対電流値特性にＬＥＤの光度比−相対電流値特性を変換した電流を供給し、電球式標識灯に対しては交流定電流電源からの電球の光度比−相対電流値特性の電流を出力し、同じ交流定電流電源から電球式標識灯及びＬＥＤ式標識灯に所定の光度比率に従った同じ光出力を出力するようにしたものである。
【発明の効果】
【００２６】
請求項１の発明によれば、整流回路で整流された電圧を標識灯のＬＥＤに印加し、標識灯のＬＥＤの電圧または電流が所定値以上となると標識灯のＬＥＤをバイパスする回路を形成し、そのバイパス回路に流れる電流を調整して、標識灯のＬＥＤに印加される電圧または電流を一定に調整するので、ＬＥＤ点灯装置を簡素化でき装置本体を小型化することができる。また、交流定電流電源から供給される電流を絶縁カレントトランスを介して入力し、整流して得られた電流を調整して出力電圧が一定となるように調整し、制御電源を生成するので、ＬＥＤへの印加電圧に関係なく適切な制御電源を確保できる。
【００２７】
請求項２の発明によれば、負荷調整回路から制御電源回路へ接続することで、負荷調整回路の余った電流を制御電源回路へ供給することができ、絶縁カレントトランスを小型化にすることができ省電力化も図れる。
【００２８】
請求項３の発明によれば、交流定電流電源からの出力電流が電球の光度比−相対電流値特性である場合であってもＬＥＤ標識灯を所定の光度比率で点灯できる。
【００２９】
請求項４の発明によれば、光源がＬＥＤであるＬＥＤ式標識灯と、光源が電球である電球式標識灯とが混在する標識灯システムに対して、同じ交流定電流電源から所定の光度比率に従った同じ出力電流を供給できる。
【図面の簡単な説明】
【００３０】
【図１】本発明の第１の実施の形態に係わるＬＥＤ点灯装置の回路図。
【図２】本発明の第２の実施の形態に係わるＬＥＤ点灯装置の回路図。
【図３】本発明の第３の実施の形態に係わる標識灯システムの構成図。
【図４】本発明の第４の実施の形態に係わるＬＥＤ点灯装置の回路図。
【図５】本発明の第５の実施の形態に係わる標識灯システムの構成図。
【図６】ハロゲン電球およびＬＥＤの光度比−相対電流値特性を示すグラフ。
【発明を実施するための形態】
【００３１】
以下本発明の実施の形態を説明する。図１は本発明の第１の実施の形態に係わるＬＥＤ点灯装置１１の回路図である。交流定電流電源（ＣＣＲ）１２は図示しない複数の切換タップを有し、定電流化された複数段階の出力電流を切換タップで切り換えられて出力するものであり、光度比率に応じて切換タップで出力電流の切り換えが可能に構成されている。この切換タップの段階に応じて出力電流が変わり所定の光度比率が変わり、その光度比率は、通常、表１の中欄に示したハロゲン電球（白熱電球）の光度比−相対電流値特性に合わせられている。従って、所定の光度比率は切換タップの切り換えによる交流定電流電源１２の出力電流で表される。
【００３２】
交流定電流電源１２から供給される所定の光度比率に従った出力電流は、直列接続幹線ケーブル１３のゴム被覆絶縁変圧器１４を介して６．６Ａの定電流電力が出力されるように分岐ケーブル１５に供給され、絶縁カレントトランス１６ａを介してＬＥＤ点灯用の０．６６Ａの交流定電流出力に変換されて主回路の整流回路１７ａに入力される。それとともに、絶縁カレントトランス１６ｂを介して制御電源回路１８に入力され、同様に、絶縁カレントトランス１６ｃを介して入力電流検出回路１９に入力される。
【００３３】
主回路の整流回路１７ａで整流された電圧は負荷調整回路２０を介してダイオードＤ１と平滑素子である平滑コンデンサＣ１との直列回路に印加される。負荷調整回路２０のスイッチ素子Ｑ１はＬＥＤ２１をバイパスするバイパス回路を形成するものであり、パルス幅制御回路２２により駆動制御される。バイパス回路はスイッチ素子Ｑ１と整流回路１７ａとの閉回路で形成される。負荷調整回路２０のパルス幅制御回路２２は、抵抗Ｒ３に流れる電流をＬＥＤ２１に供給される電流（直流３５０ｍＡ）としてフィードバック回路２３ａでフィードバックして検出する。そして、ＬＥＤ２１に供給される電流が所定値以上となると、パルス幅制御回路２２はスイッチ素子Ｑ１をパルス幅制御してＬＥＤ２１をバイパスする回路を形成する。すなわち、そのバイパス回路に流れる電流を調整して、ＬＥＤ２１に供給される電流を一定に調整する。
【００３４】
また、パルス幅制御回路２２は、ＬＥＤ２１の電圧を、抵抗Ｒ１と抵抗Ｒ２とで分圧された抵抗Ｒ２の電圧をフィードバック回路２３ｂを介してフィードバックして検出し、ＬＥＤ２１の電圧が所定値以上となると、スイッチ素子Ｑ１をパルス幅制御し、ＬＥＤ２１に印加される電圧を一定に調整するとともに、ＬＥＤ２１の電圧が別の所定値以上となると、ＬＥＤ２１に印加される電圧を零とし主回路の動作を停止させる安全回路として動作する。
【００３５】
なお、スイッチ素子Ｑ１、ダイオードＤ１、平滑コンデンサＣ１からなる回路は、昇圧チョッパ回路に類似した回路構成であるが、整流回路１７ａとダイオードＤ１との間にインダクタンスがない点で相違する。インダクタンスがないとスイッチ素子Ｑ１がオンしたときに整流回路１７ａが短絡してしまうことになるが、交流定電流電源１２は光度比率に応じた電流を出力する定電流源であるため、絶縁カレントトランス１６ａを介して整流回路１７ａで整流された電源も定電流源である。従って、スイッチ素子Ｑ１がオンしたときに大電流が流れることはない。
【００３６】
次に、制御電源回路１８は、交流定電流電源１２から供給される電流を絶縁カレントトランス１６ａ、整流回路１７ａ、絶縁カレントトランス１６ｂを介して入力し、制御電源を生成するものである。制御電源回路１８は、絶縁カレントトランス１６ｂを介して供給される電流を整流する整流回路１７ｂと、整流回路１７ｂで整流して得られた電流を調整して出力電圧が一定となるように調整する電圧調整回路２４とを有し、電圧調整回路２４の出力電圧をダイオードＤ２を介して平滑素子であるコンデンサＣ２で平滑して制御電源電圧Ｖｃｃを得るようにしている。
【００３７】
制御電源回路１８の電圧調整回路２４は、主回路の負荷調整回路２０と同様に、出力端をバイパスする回路を形成するスイッチ素子Ｑ３を有し、出力電圧である制御電源電圧Ｖｃｃが所定値以上となると、出力端をバイパスする回路を形成し、そのバイパス回路に流れる電流を調整して、制御電源電圧Ｖｃｃを一定に調整する。スイッチ素子Ｑ３は電圧制御回路２５により駆動制御される。制御電源回路１８で得られた制御電源電圧Ｖｃｃは、制御電源を必要とする各構成要素に供給される。これにより、主回路の絶縁カレントトランス１６ａの二次側巻線より制御電源を取得する場合に比較し、ＬＥＤ２１の個数に関係なく安定した制御電源を得ることができる。
【００３８】
一方、入力電流検出回路１９は、交流定電流電源１２から供給される電流を絶縁カレントトランス１６ａ、整流回路１７ａ、絶縁カレントトランス１６ｃを介して入力した電流に基づいて、交流定電流電源１２からの出力電流を実効値で検出し、入力した電流の実効値に基づいて交流定電流電源１２からの出力電流を検出する。入力電流検出回路１９で検出した出力電流の値から光度比率が算出される。光度比率は適切に識別する必要がある。
【００３９】
交流定電流電源１２に接続されている負荷や電源の出力自体が変動したとき、１次側の電流の平均値で出力電流値を検出する場合には、交流定電流電源１２の変動に伴う出力電流値の変化量を適切に算出できないが、電流の実効値で出力電流を検出する場合には、出力電流値の変化量を適切に算出できるので、光度比率に所望の制御することができる。
【００４０】
交流定電流電源１２からの出力電流が電球の光度比−相対電流値特性で変化すると、この場合には、ＬＥＤ２１の光度比率に基づく電流では光度比が合わないのでＬＥＤ２１の光度比率に変換する必要がある。そこで、特性変換回路２６でその変換を行う。すなわち、特性変換回路２６は、出力電流検出器１９で検出された出力電流を電球の光度比−相対電流値特性に基づいてＬＥＤ２１が所定の光度となるように電流に変換する。デューティ制御回路２７は、ＬＥＤ２１を流れる電流が特性変換回路２６で変換された電流になるようにスイッチ素子Ｑ２をデューティ制御（ＰＷＭ制御）する。
【００４１】
第１の実施の形態によれば、制御電源回路１８により制御電源を得るので、ＬＥＤ点灯装置１１が必要とする最大限の電力を供給できる程度の大きさの絶縁カレントトランス１６ｂにすることができ、主回路の絶縁カレントトランス１６ａの二次側巻線より制御電源を取得する場合に比較し電力の省力化が図れる。また、制御電源回路１８の電圧調整回路２４は、制御電源電圧Ｖｃｃが所定値以上となると、制御電源電圧Ｖｃｃを一定に調整するので、主回路の絶縁カレントトランス１６ａの二次側巻線より制御電源を取得する場合に比較し安定した制御電源を得ることができる。
【００４２】
次に、本発明の第２の実施の形態を説明する。図２は本発明の第２の実施の形態に係わるＬＥＤ点灯装置の回路図である。この第２の実施の形態は、図１に示した第１の実施の形態に対し、主回路のＬＥＤ２１に印加する電流または電圧が所定値以上になったとき、主回路の負荷調整回路２０のバイパス回路に流す電流を制御電源回路１８に供給する電流供給ライン２８を設けたものである。図１と同一要素には同一符号を付し重複する説明は省略する。
【００４３】
図２において、電流供給ライン２８は、主回路の負荷調整回路２０のスイッチ素子Ｑ１と制御電源回路１８のダイオードＤ２の前段との間にダイオードＤ３を介して接続される。そして、主回路の負荷調整回路２０のスイッチ素子Ｑ１の一端（ソース端子）が制御電源回路１８の整流回路１７ｂとダイオードＤ２との間に接続され、これにより、スイッチ素子Ｑ１がオンしたときに、スイッチ素子Ｑ１と整流回路１７ａとで形成されるバイパス回路に流れる電流が電圧調整回路２４に供給されるので、主回路の負荷調整回路２０の電圧調整時の余剰電流を制御電源回路１８に供給でき、制御電源回路１８の絶縁カレントトランス１６ｂの一層の小型化が図れるとともに省電力化が図れる。
【００４４】
図３は本発明の第３の実施の形態に係わる標識灯システムの構成図である。この標識灯システムは、光源がＬＥＤ２１であるＬＥＤ点灯装置１１が一体化されたＬＥＤ式標識灯２９と、光源が電球３０の電球式標識灯３１とが混在する標識灯システムに対して、第１の実施の形態または第２の実施の形態のＬＥＤ点灯装置１１を適用したものである。交流定電流電源１２の出力電流が、電球３０を用いる電球式標識灯３１の電球３０の光度比率の出力電流である場合には、ＬＥＤ式標識灯２９のＬＥＤ２１に対してはＬＥＤ点灯装置１１を適用する。
【００４５】
いま、交流定電流電源１２は、電球３０を用いる電球式標識灯３１の電球３０の光度比率になるように出力電流を切り換えるものであるとする。直列接続幹線ケーブル１３は、交流定電流電源１２の出力端から延在して、ＬＥＤ式標識灯２９や電球式標識灯３１を設置する滑走路や誘導路の路側に沿って敷設される。直列接続幹線ケーブル１３にはゴム被覆絶縁変圧器１４が接続され、直列接続幹線ケーブル１３の高電圧からＬＥＤ式標識灯２９や電球式標識灯３１側と通電可能な状態を維持しながら絶縁され、分岐線ケーブル１５に定電流を供給する。
【００４６】
分岐線ケーブル１５にはＬＥＤ式標識灯２９や電球式標識灯３１が接続され、ＬＥＤ式標識灯２９では絶縁カレントトランス１６ａ、１６ｂ、１６ｃを介してＬＥＤ点灯装置１１に定電流が供給され、ＬＥＤ点灯装置１１によりＬＥＤ２１が点灯制御される。また、電球式標識灯３１では電球３０に定電流が供給され、電球３０が点灯制御される。
【００４７】
交流定電流電源１２から電球の光度比率に対応した出力電流がＬＥＤ式標識灯２９のＬＥＤ点灯装置１１に供給されると、ＬＥＤ点灯装置１１は、電球の光度比率に対応した出力電流を電球の光度比−相対電流値特性に基づく電流に変換する。従って、ＬＥＤ２１を適正にその光度比率の光出力で点灯できる。ＬＥＤ点灯装置１１は、簡素化された構成であるので、その大きさを小さくでき、ＬＥＤ点灯装置１１をＬＥＤ式標識灯２９の筐体内に収納することが可能である。
【００４８】
第３の実施の形態によれば、光源がＬＥＤ２１であるＬＥＤ式標識灯２９と、光源が電球３０である電球式標識灯３１とが混在する場合であっても、同じ交流定電流電源１２からＬＥＤ式標識灯２９のＬＥＤ２１や電球式標識灯３１の電球３０の点灯用の電源を供給できる。
【００４９】
図４は本発明の第４の実施の形態に係わるＬＥＤ点灯装置の回路図である。この第４の実施の形態は、図１に示した第１の実施の形態の形態に対し、６．６Ａの定電流電力を出力するゴム被覆絶縁変圧器１４に代えて、０．６６Ａの交流定電流電力を出力するゴム被覆絶縁変圧器１４’を設け、絶縁カレントトランス１６ａを省略し、ＬＥＤ点灯装置１１をＬＥＤ式標識灯２９と分離して設置できるようにしたものである。図１と同一要素には同一符号を付し重複する説明は省略する。
【００５０】
ゴム被覆絶縁変圧器１４’は、交流定電流電源１２から供給される出力電流を直列接続幹線ケーブル１３を介して入力し、０．６６Ａの定電流電力が出力されるように分岐ケーブル１５に供給する。これにより、ＬＥＤ点灯用の０．６６Ａの交流定電流出力を主回路の整流回路１７ａに供給し、それとともに、絶縁カレントトランス１６ｂを介して制御電源回路１８に入力され、同様に、絶縁カレントトランス１６ｃを介して入力電流検出回路１９に入力される。
【００５１】
図５は本発明の第５の実施の形態に係わる標識灯システムの構成図である。この標識灯システムは、図４に示したＬＥＤ点灯装置１１と、ＬＥＤ式標識灯２９とを分離設置した標識灯システムを示している。本実施の形態の標識灯システムの場合、ＬＥＤ点灯装置１１に対して複数のＬＥＤ式標識灯２９が接続されてもよい。
【００５２】
図５に示すように、交流定電流電源１２から供給される出力電流を直列接続幹線ケーブル１３を介して入力し、直列接続されたゴム被覆絶縁変圧器１４’を介して、それぞれのＬＥＤ点灯装置１１に供給する。これにより、ＬＥＤ点灯装置１１とＬＥＤ式標識灯２９とが別置きの場合にも、ＬＥＤ式標識灯２９に点灯用電源を供給できる。
【符号の説明】
【００５３】
１１…ＬＥＤ点灯装置、１２…交流定電流電源、１３…直列接続幹線ケーブル、１４、１４’…ゴム被覆絶縁変圧器、１５…分岐ケーブル、１６…絶縁カレントトランス、１７…整流回路、１８…制御電源回路、１９…入力電流検出回路、２０…負荷調整回路、２１…ＬＥＤ、２２…パルス幅制御回路、２３…フィードバック回路、２４…電圧調整回路、２５…電圧制御回路、２６…特性変換回路、２７…デューティ制御回路、２８…電流供給ライン、２９…ＬＥＤ式標識灯、３０…電球、３１…電球式標識灯
【図１】
2010257718.tif 000003
【図２】
2010257718.tif 000004
【図３】
2010257718.tif 000005
【図４】
2010257718.tif 000006
【図５】
2010257718.tif 000007
【図６】
2010257718.tif 000008